(57)【特許請求の範囲】
【請求項１】
取っ手の先端部に、棒状で両端が壁面等に固定された掛け具に引っ掛け自在にするために逆Ｕ字形状の逆Ｕ字部を形成し、前記取っ手の付根部から順に複数の貫通孔である第１掛け具挿通孔、第２掛け具挿通孔及び第３掛け具挿通孔を設け、前記第１掛け具挿通孔及び前記第３掛け具挿通孔を、一直線上に設け、前記第２掛け具挿通孔を、前記第１掛け具挿通孔及び前記第３掛け具挿通孔よりも高い前記逆Ｕ字部の頂部に設けたことを特徴とする容器。
【請求項２】
前記第１掛け具挿通孔及び前記第３掛け具挿通孔は、一端が壁面等に固定された真直の掛け具が貫通し、前記第２掛け具挿通孔及び前記第３掛け具挿通孔は、一端が壁面等に固定されたＬ字形の掛け具が貫通することを特徴とする請求項１に記載の容器。
【発明の詳細な説明】
【技術分野】
【０００１】
本発明は、掛け具が挿入される複数の孔を取っ手に備える容器に関する。
【背景技術】
【０００２】
従来、カップ状の容器の取っ手に指を通す孔を設けたものが知られている（例えば、特許文献１参照）。
【先行技術文献】
【特許文献】
【０００３】
【特許文献１】特開２００６−１６７１４７号公報
【発明の概要】
【発明が解決しようとする課題】
【０００４】
特許文献１では、例えば、収納のために取っ手の孔を鉤状のフック等に掛けたときに、フック等に対して容器が振れて安定しないことがある。また、上記の取っ手の形状では、棒状で両端が壁面等に固定された掛け具には掛けることができない。
本発明の目的は、鉤状のフックや真直な釘、木ねじ等に安定して掛けられるとともに、両端が壁面等に固定された棒状の掛け具にも掛けられる容器を提供することにある。
【課題を解決するための手段】
【０００５】
上述した課題を解決するため、本発明は、取っ手の先端部に、棒状で両端が壁面等に固定された掛け具に引っ掛け自在にするために逆Ｕ字形状の逆Ｕ字部を形成し、前記取っ手の付根部から順に複数の貫通孔である第１掛け具挿通孔、第２掛け具挿通孔及び第３掛け具挿通孔を設け、前記第１掛け具挿通孔及び前記第３掛け具挿通孔を、一直線上に設け、前記第２掛け具挿通孔を、前記第１掛け具挿通孔及び前記第３掛け具挿通孔よりも高い前記逆Ｕ字部の頂部に設けたことを特徴とする。
この構成によれば、一端が壁面等に固定された掛け具を複数の孔に貫通させることにより、単一の孔に貫通させるのに比べて容器を安定に掛けることができる。また、取っ手の先端部を棒状の掛け具に掛けることができる。
【０００６】
上記構成において、前記第１掛け具挿通孔及び前記第３掛け具挿通孔は、一端が壁面等に固定された真直の掛け具が貫通し、前記第２掛け具挿通孔及び前記第３掛け具挿通孔は、一端が壁面等に固定されたＬ字形の掛け具が貫通するようにしても良い。この構成によれば、掛け具に合った孔とすることができ、容器を掛けやすく且つ確実に掛けることができる。
【０００７】
また、第３掛け具挿通孔が、真直の掛け具とＬ字形の掛け具とで共通に用いられるため、孔の個数を減らすことができ、取っ手の強度低下を抑制することができる。
【発明の効果】
【０００８】
本発明は、取っ手の先端部を棒状の掛け具に引っ掛け自在に形成し、先端部には真直の掛け具、及び、Ｌ字形の掛け具が貫通する複数の孔を形成したので、真直の掛け具及びＬ字形の掛け具をそれぞれ複数の孔に貫通させることで、それぞれ単一の孔に貫通させるのに比べて容器を安定に掛けることができるとともに、取っ手の先端部を、例えば、両端が壁面等に固定された棒状の掛け具に掛けることができる。
【図面の簡単な説明】
【０００９】
【図１】本発明の一実施形態のカップ状容器を示す斜視図であり、図１（Ａ）はカップ状容器の取っ手をＬ字状掛け具に掛けた状態を示す斜視図、図１（Ｂ）はカップ状容器の取っ手をピン状掛け具に掛けた状態を示す斜視図、図１（Ｃ）はカップ状容器の取っ手を棒状掛け具に掛けた状態を示す斜視図である。
【図２】カップ状容器を示す側面図であり、図２（Ａ）はカップ状容器を取っ手の側方から見た側面図、図２（Ｂ）は図２（Ａ）のＢ矢視図である。
【図３】取っ手の断面図であり、図３（Ａ）は第１掛け具挿通孔の横断面図、図３（Ｂ）は第２掛け具挿通孔の横断面図、図３（Ｃ）は第３掛け具挿通孔の横断面図、図３（Ｄ）は別実施形態の第１掛け具挿通孔及び第３掛け具挿通孔の横断面図である。
【発明を実施するための形態】
【００１０】
以下、図面を参照して本発明の一実施形態について説明する。
図１は、本発明の一実施形態のカップ状容器１０を示す斜視図である。図１（Ａ）はカップ状容器１０の取っ手１２をＬ字状掛け具１４に掛けた状態を示す斜視図、図１（Ｂ）はカップ状容器１０の取っ手１２をピン状掛け具１５に掛けた状態を示す斜視図、図１（Ｃ）はカップ状容器１０の取っ手１２を棒状掛け具１６に掛けた状態を示す斜視図である。
図１（Ａ）に示すように、カップ状容器１０は、有底で筒状の容器本体１１と、容器本体１１の周壁１１ｂの外周面１１ａに設けられた取っ手１２とからなる。カップ状容器１０としては、例えば、コーヒーカップ、マグカップ等の陶製、樹脂製又は金属製のカップ、ビアジョッキ等のガラス製、陶製、樹脂製又は金属製のジョッキが含まれる。
【００１１】
容器本体１１は、筒からなる周壁１１ｂと、周壁１１ｂの上端に設けられた開口１１ｃと、周壁１１ｂの下端部に一体に設けられた底壁１１ｄ（図２（Ａ）参照）とを備える。
取っ手１２は、上部を構成する逆Ｕ字形状に形成された逆Ｕ字部１２ｅに、取っ手１２の付根部から順に複数の貫通孔である第１掛け具挿通孔１２ａ、第２掛け具挿通孔１２ｂ及び第３掛け具挿通孔１２ｃが開けられている。第１掛け具挿通孔１２ａ及び第３掛け具挿通孔１２ｃは、一直線上に設けられ、第２掛け具挿通孔１２ｂは、第１掛け具挿通孔１２ａ及び第３掛け具挿通孔１２ｃよりも高い逆Ｕ字部１２ｅの頂部１２ｈに設けられる。
【００１２】
Ｌ字状掛け具１４は、壁面に接着又はビス等により固定される平板状の固定部１４ａと、固定部１４ａから延びるＬ字部１４ｂとからなる。Ｌ字部１４ｂは、固定部１４ａから垂直又は略垂直に延びる垂直部１４ｃと、垂直部１４ｃの先端部から直角又は略直角に屈曲して上方に延びる屈曲部１４ｄとからなる。
取っ手１２の第３掛け具挿通孔１２ｃにはＬ字状掛け具１４の垂直部１４ｃが貫通し、取っ手１２の第２掛け具挿通孔１２ｃにはＬ字状掛け具１４の屈曲部１４ｄが貫通する。
このように、Ｌ字状掛け具１４を第３掛け具挿通孔１２ｃ及び第２掛け具挿通孔１２ｂに通すことで、Ｌ字状掛け具１４に掛けたカップ状容器１０が、上下方向、Ｌ字状掛け具１４が固定された壁に向かって左右方向、壁に垂直な方向のいずれに対しても移動しにくくなる。従って、カップ状容器１０をより一層安定に掛けることができる。
【００１３】
図１（Ｂ）に示すように、ピン状掛け具１５は、壁面に接着又はビス等により固定される平板状の固定部１５ａと、固定部１５ａから垂直又は略垂直に延びる真直のピン部１５ｂとからなる。
取っ手１２の第３掛け具挿通孔１２ｃ及び第１掛け具挿通孔１２ａには、ピン状掛け具１５のピン部１５ｂが貫通する。
取っ手１２の第３掛け具挿通孔１２ｃは、ピン状掛け具１５とＬ字状掛け具１４（図１（Ａ）参照）との両方で共通に通される部分である。
【００１４】
ピン部１５ｂの先端部には、取っ手１２が外れにくくなるように、突起、段部又は大径部等の外れ抑制部が形成されていても良い。外れ抑制部があってもピン部１５ｂを第３掛け具挿通孔１２ｃ及び第１掛け具挿通孔１２ａに貫通させることは可能である。
また、第３掛け具挿通孔１２ｃ、第１掛け具挿通孔１２ａには、ピン状掛け具１５に限らず、壁に取付けられたビス、釘、木ねじ等が通されてカップ状容器１０が掛けられる。
【００１５】
また、ピン部１５ｂを真直としたが、これに限らず、ピン部を、略水平又は先端部が付根部より高く配置されるように延びるとともに下に凸に湾曲させるようにしても良い。これによっても、ピン部から取っ手１２が外れるのを抑制することができる。
このように、ピン状掛け具１５を第３掛け具挿通孔１２ｃ及び第１掛け具挿通孔１２ａに貫通させることで、カップ状容器１０が、上下方向、ピン状掛け具１５が固定された壁に向かって左右方向のいずれに対しても移動しにくくなる。従って、カップ状容器１０を安定に掛けることができる。
【００１６】
図１（Ｃ）に示すように、棒状掛け具１６は、壁面に接着又はビス等により固定される一対の平板状の固定部１６ａ，１６ａと、固定部１６ａ，１６ａからそれぞれ垂直又は略垂直に延びる垂直部１６ｂと、一対の垂直部１６ｂ，１６ｂの先端部同士を接続する棒状部１６ｃとからなる。
取っ手１２は、その逆Ｕ字部１２ｅが、棒状掛け具１６の棒状部１６ｃに掛けられる。このように、取っ手１２に逆Ｕ字部１２ｅを設けることで、カップ状容器１０を棒状掛け具１６に容易に掛けて収納することができる。
【００１７】
以上の図１（Ａ）〜（Ｃ）に示したように、カップ状容器１０では、その取っ手１２に逆Ｕ字部１２ｅを設け、逆Ｕ字部１２ｅに第１掛け具挿通孔１２ａ、第２掛け具挿通孔１２ｂ及び第３掛け具挿通孔１２ｃを設けた。これにより、異なった掛け具であるＬ字状掛け具１４、ピン状掛け具１５、棒状掛け具１６にカップ状容器１０を掛けて収納することができ、収納の自由度を増すことができるとともに使い勝手を向上させることができる。
【００１８】
図２は、カップ状容器１０を示す側面図である。図２（Ａ）はカップ状容器１０を取っ手１２の側方から見た側面図、図２（Ｂ）は図２（Ａ）のＢ矢視図である。
図２（Ａ）に示すように、取っ手１２は、容器本体１１の周壁１１ｂの下部から突出して上方に湾曲する下部湾曲部１２ｆと、下部湾曲部１２ｆの上端から上方に延びる上下延出部１２ｇと、上下延出部１２ｇの上端から逆Ｕ字状に延びる逆Ｕ字部１２ｅとからなる。取っ手１２は、上記したように、一様な外径の丸棒を湾曲させた部分である。
【００１９】
逆Ｕ字部１２ｅの下部に、第１掛け具挿通孔１２ａ及び第３掛け具挿通孔１２ｃが、同一の直線２０上に貫通するように設けられ、逆Ｕ字部１２ｅの頂部１２ｈに上下方向に貫通するように第２掛け具挿通孔１２ｂが設けられる。直線２０は、底壁１１ｄの底面１１ｅと平行であり、第１掛け具挿通孔１２ａ及び第３掛け具挿通孔１２ｃの中心が直線２０上に位置する。なお、直線２０を、底壁１１ｄの底面１１ｅに対して傾けても良い。
【００２０】
逆Ｕ字部１２ｅは、指を掛ける又は指で挟持する部分であり、丸棒がＵ字状、円弧状又は円弧に近い形状に曲げられて形成される。逆Ｕ字部１２ｅには、単に第１掛け具挿通孔１２ａ、第２掛け具挿通孔１２ｂ及び第３掛け具挿通孔１２ｃが開けられているだけであり、突起等が形成されていないので、持ちやすい。例えば、逆Ｕ字部１２ｅに人差し指を掛け、親指を逆Ｕ字部１２ｅの頂部１２ｈに当てれば、頂部１２ｈに設けられた第２掛け具挿通孔１２ｂが滑り止めとなり、カップ状容器１０を安定して支えることができる。また、逆Ｕ字部１２ｅを両側方から親指と人差し指とで挟んで持てば、比較的広い面積の部分を把持することができ、逆Ｕ字部１２ｅを安定して把持することができる。
【００２１】
図２（Ｂ）に示すように、この側面視では、取っ手１２の下部湾曲部１２ｆ、上下延出部１２ｇ及び逆Ｕ字部１２ｅは、直線状に上下方向に延びている。逆Ｕ字部１２ｅの端部１２ｊは、凸状で略球形状に形成されている。なお、取っ手１２の太さを一様としたが、これに限らず、第１掛け具挿通孔１２ａ、第２掛け具挿通孔１２ｂ及び第３掛け具挿通孔１２ｃが開けられる部分を太く形成しても良い。これにより、カップ状容器１０の重量増を抑えながら取っ手１２の強度を高めることができる。
【００２２】
図３は、取っ手１２の断面図である。図３（Ａ）は第１掛け具挿通孔１２ａの横断面図、図３（Ｂ）は第２掛け具挿通孔１２ｂの横断面図、図３（Ｃ）は第３掛け具挿通孔１２ｃの横断面図、図３（Ｄ）は別実施形態の第１掛け具挿通孔２２ａ及び第３掛け具挿通孔２２ｃの横断面図である。
図２（Ｂ）及び図３（Ａ）に示すように、第１掛け具挿通孔１２ａの断面は、円形の丸孔１２ｒの上部に半円状又は半円に近い形状の円弧状切欠き部１２ｓを設けたものである。丸孔１２ｒは、例えば、壁に固定された釘、木ねじ、ビスの頭部が貫通可能な大きさを有する。円弧状切欠き部１２ｓの水平方向の幅（即ち、円弧状切欠き部１２ｓの円弧の半径の２倍の長さ）ｄ１は、壁に固定された釘、木ねじ、ビスの軸部が挿入可能な大きさを有する。図中の符号ｄ２は丸孔１２ｒの内径である。
【００２３】
図３（Ｂ）に示すように、第２掛け具挿通孔１２ｂは、取っ手１２（図２（Ｂ）参照）の延びる方向に長い長孔１２ｋで構成されている。長孔１２ｋは、平行な一対の直線状内側部１２ｍ，１２ｍと、直線状内側部１２ｍ，１２ｍのそれぞれの両端部を繋ぐ半円状又は円弧状の円弧端部１２ｐ，１２ｐとからなる。第２掛け具挿通孔１２ｂは、Ｌ字状掛け具１４（図１（Ａ）参照）の屈曲部１４ｄ（図１（Ａ）参照）が貫通する部分であるため、単なる長孔１２ｋで良い。
【００２４】
図３（Ｃ）に示すように、第３掛け具挿通孔１２ｃの断面は、取っ手１２の延びる方向に長い長孔１２ｋの長さ方向の中央部分が両側に広がった形状を成している。詳しくは、第３掛け具挿通孔１２ｃの断面は、長孔１２ｋの直線状の直線状内側部１２ｍ，１２ｍに丸孔１２ｒの一部を有する円弧状切欠き部１２ｎ，１２ｎが形成されている。円弧状切欠き部１２ｎ，１２ｎにおいて取っ手１２が延びる方向に直交する方向の最大幅（即ち、丸孔１２ｒの内径）はｄ２である。
【００２５】
図３（Ａ），（Ｃ）に示したように、第１掛け具挿通孔１２ａ及び第３掛け具挿通孔１２ｃを上記した孔形状にすることで、ピン部１５ｂ（図１（Ｂ）参照）の外径が一定に形成されたピン状掛け具１５に加えて、ビス、釘、木ねじ等の頭部を第１掛け具挿通孔１２ａ及び第３掛け具挿通孔１２ｃに貫通させることができる。しかも、ビス、釘、木ねじ等の軸部を円弧状切欠き部１２ｓ及び円弧端部１２ｐに挿入することで、ビス、釘、木ねじ等の頭部が、第１掛け具挿通孔１２ａ及び第３掛け具挿通孔１２ｃからの抜け止めとなる。
また、図３（Ｂ），（Ｃ）に示したように、第３掛け具挿通孔１２ｃ及び第２掛け具挿通孔１２ｂが長孔１２ｋの部分を有するため、Ｌ字状掛け具１４や、先端部が円弧状又は湾曲した鉤形のフックを容易に貫通させることができる。
【００２６】
図３（Ｄ）に示すように、別実施形態の第１掛け具挿通孔２２ａ及び第３掛け具挿通孔２２ｃは、その断面が、取っ手１２（図２（Ｂ）参照）の延びる方向に長い長孔２２ｋで構成されている。長孔２２ｋは、平行な一対の直線状内側部２２ｍ，２２ｍと、直線状内側部２２ｍ，２２ｍのそれぞれの両端部を繋ぐ半円状又は円弧状の円弧端部２２ｐ，２２ｐとからなる。長孔２２ｋの幅はｄ２である。これらの第１掛け具挿通孔２２ａ及び第３掛け具挿通孔２２ｃと共に、長孔１２ｋとした第２掛け具挿通孔１２ｂ（図３（Ｂ）参照）が、取っ手１２（図２（Ａ）参照）に設けられる。
このように、第１掛け具挿通孔２２ａ及び第３掛け具挿通孔２２ｃを上記した孔形状にすることで、ピン状掛け具１５に加えて、軸部より大きな頭部を有するビス、釘、木ねじ等を第１掛け具挿通孔２２ａ及び第３掛け具挿通孔２２ｃに容易に貫通させることができる。また、第１掛け具挿通孔２２ａ及び第３掛け具挿通孔２２ｃの形状が単純であるから、第１掛け具挿通孔２２ａ及び第３掛け具挿通孔２２ｃを容易に形成することができる。
【００２７】
以上の図１及び図２に示したように、取っ手１２の先端部である逆Ｕ字部１２ｅを棒状の掛け具としての棒状掛け具１６に引っ掛け自在に形成し、逆Ｕ字部１２ｅには真直の掛け具としてのピン状掛け具１５、及び、Ｌ字形の掛け具としてのＬ字状掛け具１４が貫通する複数の孔としての第１掛け具挿通孔１２ａ、第２掛け具挿通孔１２ｂ及び第３掛け具挿通孔１２ｃを形成した。
【００２８】
この構成によれば、ピン状掛け具１５及びＬ字状掛け具１４が貫通する第１掛け具挿通孔１２ａ、第２掛け具挿通孔１２ｂ及び第３掛け具挿通孔１２ｃを設け、ピン状掛け具１５及びＬ字状掛け具１４をそれぞれ第１掛け具挿通孔１２ａ、第２掛け具挿通孔１２ｂ及び第３掛け具挿通孔１２ｃのうちの複数の孔に貫通させることにより、それぞれ単一の孔に貫通させるのに比べて容器としてのカップ状容器１０を安定に掛けることができる。また、取っ手１２の逆Ｕ字部１２ｅを棒状掛け具１６に掛けることができる。
【００２９】
また、複数の孔は、ピン状掛け具１５が貫通する複数の第１孔としての第３掛け具挿通孔１２ｃ及び第１掛け具挿通孔１２ａ、及び、Ｌ字形掛け具１４が貫通する複数の第２孔としての第３掛け具挿通孔１２ｃ及び第２掛け具挿通孔１２ｂを備えるようにしても良い。この構成によれば、ピン状掛け具１５が貫通する第３掛け具挿通孔１２ｃ及び第１掛け具挿通孔１２ａと、Ｌ字状掛け具１４が貫通する第３掛け具挿通孔１２ｃ及び第２掛け具挿通孔１２ｂを別々に設けることで、それぞれの掛け具に合った孔とすることができ、カップ状容器１０を掛けやすく且つ確実に掛けることができる。
また、第１孔としての第３掛け具挿通孔１２ｃ及び第１掛け具挿通孔１２ａ、第２孔としての第３掛け具挿通孔１２ｃ及び第２掛け具挿通孔１２ｂの一部、即ち、第３掛け具挿通孔１２ｃが共通しているので、ピン状掛け具１５及びＬ字状掛け具１４が貫通する貫通孔の個数を減らすことができ、取っ手１２の強度低下を抑制することができる。
【００３０】
上述した実施形態は、あくまでも本発明の一態様を示すものであり、本発明の主旨を逸脱しない範囲で任意に変形及び応用が可能である。
例えば、上記実施形態において、図２（Ａ）に示したように、取っ手１２を、容器本体１１の下部から上方に延ばし、取っ手１２の先端部に逆Ｕ字部１２ｅを形成したが、取っ手１２の形状はこれに限らない。要は、取っ手の一部に逆Ｕ字部１２ｅが設けられ、逆Ｕ字部１２ｅに第１掛け具挿通孔１２ａ、第２掛け具挿通孔１２ｂ及び第３掛け具挿通孔１２ｃが形成されていれば良い。
また、図３（Ａ）に示したように、第１掛け具挿通孔１２ａに円弧状切欠き部１２ｓを設けるようにしたが、これに限らず、内径ｄ２の単純な丸孔としても良い。これにより、孔の形成が容易になる。
また、図３（Ａ）〜（Ｄ）において、第１掛け具挿通孔１２ａ，２２ａ、第２掛け具挿通孔１２ｂ及び第３掛け具挿通孔１２ｃ，２２ｃにおける幅ｄ１、内径ｄ２を同一としたが、これに限らず、それぞれの孔について幅ｄ１、内径ｄ２を異ならせてもよい。要は、丸孔１２ｒ、円弧端部２２ｐについては、例えば、壁に固定された釘、木ねじ、ビスの各頭部等が貫通可能な大きさであれば良い。また、円弧状切欠き部１２ｓ、円弧端部１２ｐについては、壁に固定された釘、木ねじ、ビスの各軸部等が挿入可能な大きさであれば良い。
【符号の説明】
【００３１】
１０  カップ状容器（容器）
１２  取っ手
１２ａ  第１掛け具挿通孔（第１孔）
１２ｂ  第２掛け具挿通孔（第２孔）
１２ｃ  第３掛け具挿通孔（第１孔、第２孔）
１４  Ｌ字状掛け具（Ｌ字形の掛け具）
１５  ピン状掛け具（真直の掛け具）
１６  棒状掛け具（棒状の掛け具）
【要約】
【課題】鉤状のフックや真直な釘、木ねじ等に安定して掛けられるとともに、両端が壁面等に固定された棒状の掛け具にも掛けられる容器を提供する。
【解決手段】取っ手１２の先端部である逆Ｕ字部１２ｅを棒状掛け具１６に引っ掛け自在に形成し、逆Ｕ字部１２ｅにはピン状掛け具１５、及び、Ｌ字状掛け具１４が貫通する第１掛け具挿通孔１２ａ、第２掛け具挿通孔１２ｂ及び第３掛け具挿通孔１２ｃを形成し、ピン状掛け具１５及びＬ字状掛け具１４をそれぞれ第１掛け具挿通孔１２ａ、第２掛け具挿通孔１２ｂ及び第３掛け具挿通孔１２ｃのうちの複数の孔に貫通させる。
【選択図】図１【図１】
0005783480.tif 000002
【図２】
0005783480.tif 000003
【図３】
0005783480.tif 000004